(57)【要約】【課題】各々の照明器具毎に照度センサを設けることなく、また、照度センサと照明器具との伝送線も必要とすることなく簡素な構成で、複数台の照明器具間での明るさのばらつきを抑制できる照明制御システムを提供することである。【解決手段】周囲の照度を検出する照度センサを有し、窓側に配置された１台の照明器具親機１２、及び窓側を上流としたときに照明器具親機１２の下流側に配置された照明器具子機１３は、自己の光源１９の照明光Ｌに自己の調光度ｄ及び予め定められた自己のアドレスＩＤを重畳させて可視光通信を行い、照明器具子機１３の制御装置１７は、受光素子１６で受信したアドレスが上流側の照明器具を示すアドレスかどうかを判定し、上流側の照明器具を示すアドレスである場合のみ、受光素子１６で受信した調光度ｄに基づいて、自己の光源の調光制御を行う。【選択図】図１
2010073633.tif 000002
【特許請求の範囲】
【請求項１】
周囲の照度を検出する照度センサと、前記照度センサで検出した照度に基づいて自己の光源の調光制御を行う制御装置と、前記自己の光源の照明光に自己の調光度及び予め定められた自己のアドレスを重畳させて可視光通信を行う可視光通信手段とを有し、窓側に配置された１台の照明器具親機と；
照明光に重畳された調光度及びアドレスを検出する受光素子と、前記受光素子で検出された調光度及びアドレスに基づいて自己の光源の調光制御を行う制御装置と、前記自己の光源の照明光に自己の調光度及び自己のアドレスを重畳させて可視光通信を行う可視光通信手段とを有し、前記照明器具親機から窓側の反対側方向に間隔を置いて配置された複数台の照明器具子機とを備え、
前記窓側を上流としたとき、前記照明器具子機の制御装置は、前記受光素子で受信したアドレスが上流側の照明器具を示すアドレスかどうかを判定し、上流側の照明器具を示すアドレスである場合のみ、前記受光素子で受信した調光度に基づいて、自己の光源の調光制御を行うことを特徴とする照明制御システム。
【請求項２】
周囲の照度を検出する照度センサと、前記照度センサで検出した照度に基づいて自己の光源の調光制御を行う制御装置と、前記自己の光源の照明光に自己の調光度及び予め定められた自己のアドレスを重畳させて可視光通信を行う可視光通信手段とを有し、窓側に配置された１台の照明器具親機と、
照明光に重畳された調光度及びアドレスを検出する受光素子と、前記受光素子で検出された調光度及びアドレスに基づいて自己の光源の調光制御を行う制御装置と、前記自己の光源の照明光に自己の調光度及び自己のアドレスを重畳させて可視光通信を行う可視光通信手段とを有し、前記照明器具親機を基点として窓側平行方向及び窓側反対側方向に行列状に配置された複数台の照明器具子機とを備え、
前記照明器具のアドレスは、行座標がグループアドレスで列座標が個別アドレスである行列の座標で表され、前記照明器具子機の制御装置は、前記受光素子で受信したアドレスのグループアドレスが自己のグループアドレスと同じであるときは、自己の個別アドレスより小さい番号の調光度のみを受信し、自己の個別アドレスが窓際の列を示す個別アドレスであるときは、前記受光素子で受信したアドレスのグループアドレスが自己のグループアドレスより小さい番号の調光度のみを受信し、受信した調光度に基づいて自己の光源の調光制御を行うことを特徴とする照明制御システム。
【発明の詳細な説明】
【技術分野】
【０００１】
本発明は、複数の照明器具を調光制御する照明制御システムに関する。
【背景技術】
【０００２】
例えば、建家の室内の照明においては天井面に複数の照明器具を配置し、所定の箇所に照度センサを設けて、照度センサの検出信号による調光制御信号を伝送線を介して照明器具に送信し、照明器具の明るさを一定制御するようにしている。この照度センサによる明るさ一定制御を行うことにより、昼光が活用できる昼間の省エネルギーを図るようにしている。
【０００３】
このような照度センサによる明るさ一定制御の場合、照度センサと照明器具とを調光信号線で配線しなければならないので、照度センサと照明器具との間の伝送線の敷設が必要となる。
【０００４】
そこで、各々の照明器具に照度センサを取り付け、照明器具単体で明るさ一定制御を行うことも可能であるが、そうすると、各照明器具に照度センサを搭載しなければならないし、また各照明器具がそれぞれ単独で動作するため、照明器具の明るさの制御状態が不均一になり利用者が不快感を感じる場合がある。
【０００５】
複数台の照明器具間で光源の光出力比がばらつくのを抑制するようにしたものとして、光源の出力特性をもとに現在の累積点灯時間において目標照度を得るために必要な光出力比を求め、この光出力比を上限値に設定して、上限値以下の制御範囲で光源の光出力比を制御するようにしたものがある（例えば、特許文献１参照）。
【特許文献１】特開２００７−６６７３９号公報
【発明の開示】
【発明が解決しようとする課題】
【０００６】
しかし、特許文献１のものでは、複数台の照明器具間での明るさのばらつきをなくすには、各々の照明器具毎に、光源の出力特性をもとに現在の累積点灯時間において目標照度を得るために必要な光出力比を求めなければならず、光源の光出力比の制御が複雑になる。
【０００７】
本発明の目的は、各々の照明器具毎に照度センサを設けることなく、また、照度センサと照明器具との伝送線も必要とすることなく簡素な構成で、複数台の照明器具間での明るさのばらつきを抑制できる照明制御システムを提供することである。
【課題を解決するための手段】
【０００８】
請求項１の発明に係わる照明制御システムは、周囲の照度を検出する照度センサと、前記照度センサで検出した照度に基づいて自己の光源の調光制御を行う制御装置と、前記自己の光源の照明光に自己の調光度及び予め定められた自己のアドレスを重畳させて可視光通信を行う可視光通信手段とを有し、窓側に配置された１台の照明器具親機と；照明光に重畳された調光度及びアドレスを検出する受光素子と、前記受光素子で検出された調光度及びアドレスに基づいて自己の光源の調光制御を行う制御装置と、前記自己の光源の照明光に自己の調光度及び自己のアドレスを重畳させて可視光通信を行う可視光通信手段とを有し、前記照明器具親機から窓側の反対側方向に間隔を置いて配置された複数台の照明器具子機とを備え、前記窓側を上流としたとき、前記照明器具子機の制御装置は、前記受光素子で受信したアドレスが上流側の照明器具を示すアドレスかどうかを判定し、上流側の照明器具を示すアドレスである場合のみ、前記受光素子で受信した調光度に基づいて、自己の光源の調光制御を行うことを特徴とする。
【０００９】
本発明及び以下の発明において用語の定義及び技術的意味は以下による。
【００１０】
可視光通信とは、人の目に見える照明光に変調した光信号をデータとして重畳させて通信することをいう。可視光通信のデータは、自己の調光度及び予め定められた自己のアドレスである。自己とは照明センサを有した１台の照明器具親機のことであり、自己の調光度とは、照度センサで検出した照度に基づいて自己の制御装置で自己の光源の調光制御を行う際の調光度であり、自己のアドレスとは照明器具親機に予め設定されたアドレスである。窓側とは外光が入光する側である。
【００１１】
照明器具子機とは、建家に配置された照明器具親機以外の照明器具をいい、照明器具親機から窓側の反対側方向に間隔を置いて配置された照明器具をいう。従って、窓側を上流としたとき、照明器具子機は下流側に配置されることになる。上流側の照明器具を示すアドレスとは、自己より窓側の照明器具のアドレスをいう。受光素子は、例えば、光信号を電気信号に変換できる素子である。
【００１２】
請求項２の発明に係わる照明制御システムは、周囲の照度を検出する照度センサと、前記照度センサで検出した照度に基づいて自己の光源の調光制御を行う制御装置と、前記自己の光源の照明光に自己の調光度及び予め定められた自己のアドレスを重畳させて可視光通信を行う可視光通信手段とを有し、窓側に配置された１台の照明器具親機と、照明光に重畳された調光度及びアドレスを検出する受光素子と、前記受光素子で検出された調光度及びアドレスに基づいて自己の光源の調光制御を行う制御装置と、前記自己の光源の照明光に自己の調光度及び自己のアドレスを重畳させて可視光通信を行う可視光通信手段とを有し、前記照明器具親機を基点として窓側平行方向及び窓側反対側方向に行列状に配置された複数台の照明器具子機とを備え、前記照明器具のアドレスは、行座標がグループアドレスで列座標が個別アドレスである行列の座標で表され、前記照明器具子機の制御装置は、前記受光素子で受信したアドレスの個別アドレスが窓際の列を示す個別アドレスであるときは、自己のグループアドレスより小さい番号の調光度のみを受信し、前記受光素子で受信したアドレスの個別アドレスが窓際の列を示す個別アドレスでないときは、前記受光素子で受信したアドレスのグループアドレスが自己のグループアドレスと同じで、かつ前記受光素子で受信したアドレスの個別アドレスが自己の個別アドレスより小さい番号の調光度のみを受信し、受信した調光度に基づいて自己の光源の調光制御を行うことを特徴とする。
【００１３】
本発明は請求項１の発明に対し、照明器具子機は、照明器具親機を基点として窓側平行方向及び窓側反対側方向に行列状に配置したものである。
【００１４】
照明器具親機を基点として窓側平行方向とは、窓側に配置された照明器具親機と同列に窓際に沿った方向であり行列の列方向である。照明器具親機を基点として窓側反対側方向とは、窓側に配置された照明器具親機と同行に窓際と直交する方向であり行列の行方向である。照明器具のアドレスの行座標とは行列の行数をいいグループを示すグループアドレスが設定される。列座標とは行列の列数をいいグループ内での個別アドレスが設定される。
【発明の効果】
【００１５】
請求項１の発明によれば、可視光通信により上流側の照明器具の調光度のみを受信するので、伝送線の敷設なしで複数台の照明器具が連携して、１台の照度センサによる調光制御を行うことが可能である。また、上流側の照明器具の調光度により調光制御を行うので、窓側からその反対方向に徐々に調光度を浅くした調光制御が可能となり、複数台の照明器具間で光源の光出力比がばらつくのを抑制できる。
【００１６】
請求項２の発明によれば、複数の照明器具を窓側から行列状に配置した場合であっても、請求項１の発明の効果と同等の効果を得ることができる。
【発明を実施するための最良の形態】
【００１７】
図１は、本発明の実施の形態に係わる照明制御システムの構成図である。図１に示すように、建家の窓１１の近傍の天井面には照明器具親機１２が設置され、窓１１側から建家の奥方向（窓側反対側方向）に向けて複数個の照明器具子機１３が天井面に設置されている。図１では２個の照明器具子機１３ａ、１３ｂが設置されている場合を示している。
【００１８】
照明器具親機１２及び照明器具子機１３ａ、１３ｂは、それぞれ可視光通信手段１４が搭載され、照明器具親機１２にのみ照度センサ１５が搭載されている。そして、照明器具子機１３ａ、１３ｂには照度センサ１５に代えて、受光素子１６が搭載されている。
【００１９】
照明器具親機１２は、周囲の照度を検出する照度センサ１５を有し、窓１１側に１台だけ配置される。照度センサ１５で検出した照度は、照明器具親機１２の制御装置１７に入力され、制御装置１７は、照度センサ１５で検出された照度に基づいて、点灯回路１８を介して自己の光源１９の調光度を定めて調光制御を行う。これにより、照明器具親機１２の光源１９からの照明光Ｌ１は照度センサ１５で検出した照度で定まる一定の明るさに制御される。照明器具親機１２の可視光通信手段１４は、自己の光源１９の照明光Ｌ１に自己の調光度ｄ１及び予め定められた自己のアドレスＩＤ１を重畳させて可視光通信を行う。
【００２０】
次に、照明器具子機１３ａ、１３ｂは、照明光Ｌに重畳された調光度ｄ及びアドレスＩＤを検出する受光素子１６を有し、受光素子１６で検出された調光度ｄ及びアドレスＩＤは、照明器具子機１３ａ、１３ｂの制御装置１７に入力される。照明器具子機１３ａ、１３ｂの制御装置１７は、受光素子１６で検出された照度ｄに基づいて、点灯回路１８を介して自己の光源１９の調光度ｄ２を定めて調光制御を行う。
【００２１】
この場合、照明器具子機１３ａ、１３ｂの制御装置１７は、窓１１側を上流としたとき、受光素子１６で受信したアドレスＩＤが上流側の照明器具を示すアドレスかどうかを判定し、上流側の照明器具を示すアドレスである場合のみ、受光素子１６で受信した調光度ｄに基づいて、自己の光源１９の調光制御を行う。
【００２２】
いま、照明器具親機１２のアドレスはＩＤ１、照明器具子機１３ａのアドレスはＩＤ２、照明器具子機１３ｂのアドレスはＩＤ３であるとする。この場合、例えば、照明器具子機１３ａの制御装置１７は、受光素子１６で受光した自己より上流側の照明器具親機１２のアドレスＩＤ１の調光度ｄ１のみを入力し、照明器具子機１３ａの制御装置１７は、受光素子１６で検出された照度ｄ１に基づいて、自己の点灯回路１８を介して自己の光源１９の調光度ｄ２を定めて調光制御を行う。これにより、照明器具子機１３ａの光源１９からの照明光Ｌ２は受光素子１６で検出した調光度で定まる一定の明るさに制御される。照明器具子機１３ａの可視光通信手段１４は、自己の光源１９の照明光Ｌ２に自己の調光度ｄ２及び予め定められた自己のアドレスＩＤ２を重畳させて可視光通信を行う。
【００２３】
照明器具子機１３ｂについても同様に、照明器具子機１３ｂの制御装置１７は、受光素子１６で受光した自己より上流側の照明器具子機１３ａのアドレスＩＤ２の調光度ｄ２のみを入力し、照明器具子機１３ｂの制御装置１７は、受光素子１６で検出された照度ｄ２に基づいて、自己の点灯回路１８を介して自己の光源１９の調光度ｄ３を定めて調光制御を行う。これにより、照明器具子機１３ｂの光源１９からの照明光Ｌ３は受光素子１６で検出した調光度で定まる一定の明るさに制御される。照明器具子機１３ｂの可視光通信手段１４は、自己の光源１９の照明光Ｌ３に自己の調光度ｄ３及び予め定められた自己のアドレスＩＤ３を重畳させて可視光通信を行う。照明器具子機１３ｂの下流側にさらに照明器具子機１３がある場合には、その下流側の照明器具子機１３に調光度ｄ及びアドレスＩＤを送信していく。
【００２４】
例えば、窓１１側の照明器具親機１２が照度センサ１５による明るさ一定制御にて、調光度ｄ１（＝４０％）で点灯制御しているとする。照明器具親機１２の可視光通信手段１４は、自己の調光度ｄ１（＝４０％）を可視光通信で出力する。照明器具親機１２に隣接する照明器具子機１３ａは、照明器具親機１２からの調光度ｄ１（＝４０％）を受信したら、受信した照明器具親機１２の調光度ｄ１（＝４０％）より大きめの調光度ｄ２（＝ｄ１＋α＝５０％）の出力で自己を調光制御する。そして、照明器具子機１３ａの可視光通信手段１４は、自己の調光度ｄ２を可視光通信で出力する。同様に、照明器具子機１３ａに隣接する照明器具子機１３ｂは、照明器具子機１３ａからの調光度ｄ２（＝５０％）を受信したら、受信した照明器具子機１３ｂの調光度ｄ２（＝５０％）より大きめの調光度ｄ３（＝ｄ２＋α＝６０％）の出力で自己を調光制御する。
【００２５】
ここで、照明器具子機１３ａ、１３ｂは自己の調光度を「受信した調光度＋α」に設定するのは、設置されている位置が上流側の照明器具より窓１１から遠いためである。すなわち、昼光の入射量が少なく外光による明るさが低減することを考慮するためである。
【００２６】
このように可視光通信を利用し、照明器具親機１２からリレー形式で複数の照明器具子機１３に調光度ｄを伝達することにより、１台の照度センサ１５で複数台のセンサ連動制御を行うことが可能となる。
【００２７】
以上の説明では、窓１１側に配置した１台の照明器具親機１２から建家の奥方向（窓側反対側方向）に複数の照明器具子機１３を配置した場合について説明したが、図２に示すように、照度センサ１５を有した照明器具親機１２を基点として窓側平行方向（列方向）及び窓側反対側方向（行方向）に行列状に照明器具子機１３ａ〜１３ｈを配置した場合にも適用できる。図２では、１台の照明器具親機１２と８台の照明器具子機１３ａ〜１３ｈを行列状に配置した場合を示している。
【００２８】
この場合、可視光通信信号の混信を防ぐために、照明器具親機１２及び照明器具子機１３ａ〜１３ｈのアドレスを予め定めておく。照明器具親機１２及び照明器具子機１３ａ〜１３ｈのアドレスは、行座標がグループアドレスで列座標が個別アドレスである行列の座標で表される。
【００２９】
例えば、照明器具親機１２のアドレスはＩＤ１−１、照明器具子機１３ａのアドレスはＩＤ１−２、照明器具子機１３ｂのアドレスはＩＤ１−３、照明器具子機１３ｃのアドレスはＩＤ２−１、照明器具子機１３ｄのアドレスはＩＤ２−２、照明器具子機１３ｅのアドレスはＩＤ２−３、照明器具子機１３ｆのアドレスはＩＤ３−１、照明器具子機１３ｇのアドレスはＩＤ３−２、照明器具子機１３ｈのアドレスはＩＤ３−３であるとする。
【００３０】
このように、各照明器具のアドレスはＩＤｉ−ｊで表され、グループアドレスｉと個別アドレスｊを持つ。照明器具親機１２のアドレスは、行座標ｉがｉ＝１、列座表ｊがｊ＝１のＩＤ１−１である。また、窓側の照明器具親機１２を基点として窓際の窓側平行方向の照明器具子機１３ｃ、１３ｆ、すなわち、照明器具親機１２と同じ列の照明器具子機１３ｃ、１３ｆは、照度センサ１５を有さない照明器具子機１３であるが、照明器具準親機として、照明器具子機１３ｃ、１３ｆのアドレスＩＤ２−１、ＩＤ３−１は、照明器具親機１２と同じ個別アドレス（ｊ＝１）を持つ。そして、照明器具親機１２または照明器具準親機の照明器具子機１３ｃ、１３ｆから設置位置が近い順に個別アドレスｊが連番で振られる。
【００３１】
このように、照明器具親機１２及び照明器具子機１３ａ〜１３ｈにアドレスを割り振り、各々の照明器具子機１３ａ〜１３ｈの制御装置１７は、以下の条件で可視光通信の受信を制限することにより混信を防ぐ。
【００３２】
（１）条件１
受光素子１６で受信したアドレスのグループアドレスｉが自己のグループアドレスｉと同じであるときは、自己の個別アドレスｊより小さい番号の調光度のみを受信する。
【００３３】
（２）条件２
自己の個別アドレスｊが窓際の列を示す個別アドレス（ｊ＝１）であるときは、受光素子１６で受信したアドレスのグループアドレスｉが自己のグループアドレスｉより小さい番号の調光度のみを受信する。
【００３４】
いま、１行２列目のアドレスＩＤ１−２の照明器具子機１３ａが照明器具親機１２のアドレスＩＤ１−１を受信したとすると、照明器具子機１３ａは、受光素子１６で受信したアドレスは照明器具親機１２のアドレスＩＤ１−１であるので、そのグループアドレスｉは（ｉ＝１）であり、自己の照明器具子機１３ａのグループアドレスｉ（ｉ＝１）と同じである。また、受光素子１６で受信したアドレスの個別アドレスｊは（ｊ＝１）であり、自己の照明器具子機１３ａの個別アドレスｊ（ｊ＝２）より小さい番号である。従って、条件１を満たすので、照明器具子機１３ａは照明器具親機１２の調光度ｄ１−１を受信する。そして、受信した調光度ｄ１−１に基づいて自己の調光度ｄ１−２を定めて自己の光源１９の調光制御を行い、自己の調光度ｄ１−２を可視光通信する。
【００３５】
次に、２行１列目のアドレスＩＤ２−１の照明器具子機１３ｃが照明器具親機１２のアドレスＩＤ１−１を受信したとすると、照明器具子機１３ｃは窓際の列を示す個別アドレス（ｊ＝１）を有し、受光素子１６で受信したアドレスは照明器具親機１２のアドレスＩＤ１−１であるので、そのグループアドレスｉは（ｉ＝１）であり、照明器具子機１３ｃのグループアドレスｉ（ｉ＝２）より小さい番号であるので、条件２を満たす。従って、照明器具子機１３ｃは照明器具親機１２の調光度ｄ１−１を受信し、受信した調光度ｄ１−１に基づいて自己の調光度ｄ２−１を定めて自己の光源１９の調光制御を行い、自己の調光度ｄ２−１を可視光通信する。
【００３６】
同様に、アドレスＩＤ３−１の照明器具子機１３ｆが照明器具子機１３ｃのアドレスＩＤ２−１を受信したとすると、条件２を満たすので、照明器具子機１３ｆは照明器具子機１３ｃの調光度ｄ２−１を受信し、受信した調光度ｄ２−１に基づいて自己の調光度ｄ３−１を定めて自己の光源１９の調光制御を行い、自己の調光度ｄ３−１を可視光通信する。
【００３７】
次に、２行２列目のアドレスＩＤ２−２の照明器具子機１３ｄについて説明する。２行２列目のアドレスＩＤ２−２の照明器具子機１３ｄが照明器具子機１３ｃのアドレスＩＤ２−１を受信したとすると、照明器具子機１３ｄは、受光素子１６で受信したアドレスは照明器具子機１３ｃのアドレスＩＤ２−１であるので、そのグループアドレスｉは（ｉ＝２）であり、自己の照明器具子機１３ｄのグループアドレスｉ（ｉ＝２）と同じである。また、受光素子１６で受信したアドレスの個別アドレスｊは（ｊ＝１）であり、自己の照明器具子機１３ａの個別アドレスｊ（ｊ＝２）より小さい番号である。従って、条件１を満たすので、照明器具子機１３ｄは照明器具子機１３ｃの調光度ｄ２−１を受信する。そして、受信した調光度ｄ２−１に基づいて自己の調光度ｄ２−２を定めて自己の光源１９の調光制御を行い、自己の調光度ｄ２−２を可視光通信する。
【００３８】
一方、２行２列目のアドレスＩＤ２−２の照明器具子機１３ｄが照明器具子機１３ａのアドレスＩＤ１−２を受信したとすると、照明器具子機１３ｄは、受光素子１６で受信したアドレスは照明器具子機１３ａのアドレスＩＤ１−２であるので、そのグループアドレスｉは（ｉ＝１）であり、自己の照明器具子機１３ｄのグループアドレスｉ（ｉ＝２）と異なるので、条件１を満たない。また、照明器具子機１３ｄの個別アドレスｊは（ｊ＝２）であり、照明器具子機１３ｄは窓際の列を示す個別アドレス（ｊ＝１）を有していないので、条件２も満たさない。従って、照明器具子機１３ｄは照明器具子機１３ａの調光度ｄ１−２は受信しない。
【００３９】
このように、図２に示すように、照度センサ１５を有した照明器具親機１２を基点として窓側平行方向（列方向）及び窓側反対側方向（行方向）に行列状に照明器具子機１３ａ〜１３ｈを配置した場合には、条件１、２を設定することにより、窓際の照明器具親機１２または照明器具準親機の照明器具子機１３ｃ、１３ｆから窓側反対側方向に可視光通信を可能とし、また、窓際の列（１列目）についてのみ照明器具親機１２から窓側平行方向（列方向）の照明器具準親機の照明器具子機１３ｃ、１３ｆに可視光通信を可能としている。
【００４０】
従って、照度センサ１５を有した照明器具親機１２を基点として窓側平行方向及び窓側反対側方向に行列状に照明器具子機１３ａ〜１３ｈを配置した場合であっても、可視光通信を利用し、照明器具親機１２からリレー形式で複数の照明器具子機１３に調光度ｄを伝達できる。このため、隣り合う照明器具同士で次々と調光度ｄを通知することにより複数台の照明器具の連携した制御が可能となる。
【図面の簡単な説明】
【００４１】
【図１】本発明の実施の形態に係わる照明制御システムの一例を示す構成図。
【図２】本発明の実施の形態に係わる照明制御システムの他の一例を示す構成図。
【符号の説明】
【００４２】
１１…窓、１２…照明器具親機、１３…照明器具子機、１４…可視光通信手段、１５…照度センサ、１６…受光素子、１７…制御装置、１８…点灯回路、１９…光源
【図１】
2010073633.tif 000003
【図２】
2010073633.tif 000004